(57)【特許請求の範囲】
【請求項１】
壁側の給水及び給湯用の各配管の端部接続口を覆うように該壁の前面にカバーを設けて該カバーに壁付きの水栓の水栓本体と吐水部とを設けるとともに、該カバーの内部において前記各配管の端部接続口と該水栓本体及び該水栓本体と前記吐水部とをそれぞれ可撓性の接続管にて接続し、且つ前記吐水部は先端側の吐水ヘッドを該吐水ヘッドに接続されたホースとともに引出可能となすとともに、該カバー内部に該ホースの全体を収納するホース収納部を設けて該ホースを引出可能に収納し、
更に壁に固定の支持ブラケットと、前記カバーに設けられて該支持ブラケットにより支持される被支持部と、それら支持ブラケット及び被支持部を固定するクランプ機構とを備えた固定装置を設け、且つ該固定装置は該被支持部を該支持ブラケットに対し前後，左右に位置調節する機能を有するものとなしたことを特徴とするホース収納カバー水栓。
【発明の詳細な説明】
【０００１】
【発明の属する技術分野】
この発明はカバー水栓に関し、特に吐水ヘッドに接続したホースが吐水ヘッドとともに引出可能な形態のホース収納カバー水栓に関する。
【０００２】
【従来の技術】
従来、キッチンの流し台用の水栓として図１０に示すようなものが公知である。
同図において２００は流し台で、２０２はシンク，２０４はカウンター，２０６はその下のキャビネットである。
２０８は流し台用の壁付きの水栓で、水栓本体２１０から吐水管２１２が前方、即ちシンク２０２側に延び出しており、そしてその水栓本体２１０が水，湯の通路管を兼ねた一対のクランク脚２１４を介して壁Ｗに取付固定されている。
【０００３】
ここで壁Ｗは建築の躯体壁であって、その壁Ｗの裏側に建築側配管としての給水，給湯用の元配管（以下単に配管とする）が立上げ配管されており、それぞれの配管の端部接続口がクランク脚２１４に接続されている。
即ちそれら配管からの水，湯が一対のクランク脚２１４を経て水栓本体２１０に導かれるようになっている。
【０００４】
【発明が解決しようとする課題】
ところでキッチンの流し台を大きなものと取り替えたり、或いは流し台の位置を変えたりしたとき、これに伴って水栓の取付位置を変更する必要の生じることがある。
例えば今までのものより大きな流し台を設置したとき、シンクの中央位置が右位置或いは左位置に移行することがあり、この場合水栓の取付位置を今までの位置よりも右側又は左側にずらす必要が生ずる。
【０００５】
しかしながら従来の水栓にあっては、このような場合にこれを別の位置に取付け直すといったことが難しい問題があった。
壁裏の配管の位置が固定であるために、水栓の取付位置を変更しようとすると配管工事からやり直さなければならず、水栓の取付施工が著しく大変なものとなってしまい、またコストも高いものとなってしまう。
【０００６】
以上キッチンの流し台用の水栓を例として説明したが、浴室内の水栓その他においてもほぼ同様の事情にある。
【０００７】
【課題を解決するための手段】
本発明のホース収納カバー水栓はこのような課題を解決するために案出されたものである。
而して請求項１のものは、壁側の給水及び給湯用の各配管の端部接続口を覆うように該壁の前面にカバーを設けて該カバーに壁付きの水栓の水栓本体と吐水部とを設けるとともに、該カバーの内部において前記各配管の端部接続口と該水栓本体及び該水栓本体と前記吐水部とをそれぞれ可撓性の接続管にて接続し、且つ前記吐水部は先端側の吐水ヘッドを該吐水ヘッドに接続されたホースとともに引出可能となすとともに、該カバー内部に該ホースの全体を収納するホース収納部を設けて該ホースを引出可能に収納し、更に壁に固定の支持ブラケットと、前記カバーに設けられて該支持ブラケットにより支持される被支持部と、それら支持ブラケット及び被支持部を固定するクランプ機構とを備えた固定装置を設け、且つ該固定装置は該被支持部を該支持ブラケットに対し前後，左右に位置調節する機能を有するものとなしたことを特徴とする。
【０００８】
【作用及び発明の効果】
上記のように本発明は、壁側の給水及び給湯用の配管の端部接続口を覆うように壁の前面にカバーを設けて、そのカバーに水栓本体と吐水部とを設け、そしてそのカバー内部において、各配管の端部接続口と水栓本体及び水栓本体と吐水部とをそれぞれ可撓性の接続管にて接続するようになしたもので、本発明によれば、カバーの左右方向長を一対の配管の端部接続口の間隔よりも長くしておくことで、それら配管の端部接続口に対し水栓全体を左右に位置をずらせた状態で設置することができ、それら配管の位置を変更することなく、即ち配管工事をやり直すことなく、水栓を適正な位置に取付施工することができる。
【０００９】
本発明のホース収納カバー水栓は、吐水ヘッドをホースとともに引出可能なものであって、そのカバー内部にホース全体を収納するホース収納部が設けてある点を特徴としている。
近年、キッチンの流し台用の水栓や洗面化粧台に設置される洗髪用の水栓として、吐水へッドとともにホースを引出可能となしたホース収納水栓が広く用いられるようになって来ているが、この種従来のホース収納水栓の場合、吐水へッドに接続されたホースがカウンターの下側に大きく垂れ下がった状態にあり、これによりカウンター下のキャビネット内の収納空間が狭められたり、水がホースを伝ってキャビネット内に浸入したり、或いはカウンターにホースを挿通するための穴加工を施さなければならないなどといった問題が生じていた。
【００１０】
しかるに本発明のホース収納カバー水栓にあっては、カバー内部にホース収納部を設けて、そこに吐水ヘッドに接続されたホースを引出可能に収納するようになしているため、カウンター下のホースの垂れ下がりに起因する上記従来の問題を解消することができる。
【００１１】
即ち本発明のホース収納カバー水栓は、そのカバーによって配管の端部接続口及びその端部接続口と水栓本体とを接続する可撓性の接続管を内部に隠蔽すると同時に、吐水ヘッドに接続されたホースをカバー内部に引出可能に収納するもので、かかる本発明の水栓は、これをただ単に壁等に取付施工するだけで、カウンターの上側、即ち表側で施工完了できる特徴を有する。
【００１２】
更に本発明は、壁付きの水栓を、壁に固定の支持ブラケットと、カバーに設けられた被支持部と、それら支持ブラケットと被支持部とを固定するクランプ機構とを備えた固定装置にて壁に取付固定するようになし、且つ固定装置にカバーの前後及び左右方向の位置調節機能を持たせたもので、本発明によれば、水栓を前後及び左右の適正な位置に簡単に取付施工することができる。
【００１３】
本発明おいては、上記カバーを主カバー及びこれとは別体をなす補助カバーとを連結して構成することができる。
而して主カバーと補助カバーとを例えば左右に連結してカバーを構成するようになした場合、水栓の左右方向の取付位置の選択の範囲（自由度）を広げることができる。
【００１４】
本発明においては、上記吐水部を吐水管となし且つその吐水管を、基端側の本体管と先端側の吐水ヘッドとを含むように構成して、上記ホースを本体管を挿通して吐水ヘッドに接続しておくことができる。
このようにすれば、吐水ヘッドを本体管の先端に位置させた状態で、従来の通常の吐水管付の水栓と同様に使用することができる。
【００１５】
本発明では、水栓本体と吐水部とをカバーに対して左右に位置をずらして配置することによって、水栓本体の左右何れかの側方且つ吐水部の側にホース収納部をカバー内部に設けておくことができ、このようにすることで、ホース収納部をカバー内部に広く確保することができる。
【００１６】
本発明においては、上記カバーに物置台を具備させておくことができる。
このようにすることによってカバーを有効に活用することができる。
この場合において物置台を吐水部の基端位置よりも高位置に設けておき、その物置台の内部を配管の端部接続口及び可撓性の接続管の収納用空間として活用できるようにしておくことができる。
このようにした場合、位置固定の配管に対して水栓の上下方向の取付位置の選択の自由度をより高めることができる。
【００１７】
本発明では、水栓をカウンター上に設置するようになし、且つカバーの後部にカウンター後端の立上り形状のバックガードの呑込凹部を設けておくことができ、このようにした場合、カウンターに対して可及的に近い位置に水栓を取付施工できるようになる。
【００１８】
本発明においては、カバーに浄水器を設けておき、その浄水器をカバー内部において可撓性の接続管により給水用の配管に接続しておくことができる。
即ち本発明の水栓を浄水器付のものとして構成しておくことができ、且つこの場合において浄水器と水栓本体とを接続する可撓性の接続管をカバー内部に隠蔽しておくことができる。
【００１９】
【実施例】
次に本発明の実施例を図面に基づいて詳しく説明する。
図１において１０は流し台で、１２はシンク，１４はカウンター，１６はそのカウンター１４の下側のキャビネットである。
ここでカウンター１４は後端に立上り形状のバックガード１８を有している。
【００２０】
２０は流し台用の本例のホース収納カバー水栓（以下単に水栓とする）で、壁Ｗに取付固定されている。ここで水栓２０はカバー２２を有している。
このカバー２２には、その下端部且つ後部に上記バックガード１８の呑込凹部２４を有しており、そこにバックガード１８を挿入させるようにして壁Ｗに取付固定されている。
【００２１】
このカバー２２には、吐水部としての吐水管２６と、水栓本体２８（図２，図３，図４参照）と、浄水器３０（図３参照）と、浄水を吐水する浄水吐水パイプ３２と、水栓本体２８の弁部を操作するシングルレバー式の操作ハンドル３４と、浄水ハンドル３６とが設けられている。
ここで操作ハンドル３４は上下及び左右に回動可能に設けられており、その上下方向の回動によって吐止水及び水量調節を行い、また左右方向の回動によって吐水の温度調節を行う。
また浄水ハンドル３６は浄水吐水パイプ３２からの浄水の吐止水を行う。
【００２２】
図１及び図２に示しているように、吐水管２６は基端側の本体管３８と先端側の吐水口４０を有する吐水ヘッド４２とから成っており、その吐水ヘッド４２が、これに接続された可撓性のホース４４とともに本体管３８から引出可能とされている。
尚吐水ヘッド４２は吐水口４０から整流吐水，シャワー吐水何れも可能であって、その前面に整流吐水からシャワー吐水に若しくは逆に切替操作するための切替操作部４６が設けられている。
【００２３】
図４において、４８は壁Ｗの裏側に立上げ配管された給水用，給湯用の配管の端部接続口である。
ここで本例において壁Ｗは建築の躯体壁であり、その裏側の配管は建築側配管としての元配管である（但し壁Ｗは躯体壁に限られず、またその裏側の配管もそのような元配管に限られない。ここでは以下単に配管とする）。
【００２４】
上記カバー２２は、この端部接続口４８を覆うようにして壁Ｗの前面に配設されている。
そしてこのカバー２２の内部において、給水用，給湯用の各配管の端部接続口４８が、図４に示す止水栓５０を介して、図３（Ｂ）に示しているように可撓性を有する一対の接続管５２にてそれぞれ水栓本体２８に接続されている。
【００２５】
尚、図３（Ｂ）に示しているように給水側においては止水栓５０の下流側にＴ字状の分岐管５４が接続されており、その分岐管５４の一方の分岐口が、接続管５２にて水栓本体２８に接続され、また他方の分岐口が、逆止弁５６を介して他の可撓性の接続管５８により浄水器３０に接続されている。
【００２６】
図３に示しているように、上記水栓本体２８はカバー２２の図中右端近傍位置に、また浄水器３０は同じく図中左端位置にそれぞれ設けられており、そしてカバー２２の略左右中央位置に吐水管２６が設けられている。
即ち水栓本体２８と吐水管２６とは、左右に位置をずらせて配置してあり、そして吐水管２６の下方においてカバー２２内部にホース収納部６０が形成されていて、そこに吐水ヘッド４２とともに引出可能な状態でこれに接続された可撓性のホース４４の全体が収納されている。
尚ホース４４は一端側が吐水ヘッド４２に接続され、他端側が水栓本体２８に接続されている。
【００２７】
図１，図２及び図４に示しているように、カバー２２は吐水管２６の後側位置において、その吐水管２６の基端位置よりも上方に立上る形態で物置台６２が形成されている。物置台６２の上面は吐水管２６よりも高位置とされている。
而して図２に示しているようにこの物置台６２の内部空間６４は、一対の端部接続口４８及び一対の接続管５２の収納空間として利用可能とされている。
【００２８】
詳しくは、端部接続口４８が図２中破線で示す低位置、或いはこれよりも高さＨ分だけ高い位置、即ち図中二点鎖線で示す高位置にある場合の何れにおいても、支障なく水栓２０を図２に示す高さ位置においてこれを壁Ｗに取付施工できるようになっている。
換言すれば、位置固定の配管の端部接続口４８に対し、水栓２０の上下方向の取付位置を広い範囲で選択できるようになっている。
【００２９】
図５に示しているように、壁ＷにはＬ字状をなす支持ブラケット６６が止具６８にて固定されている。
また一方カバー２２にはアーム６９の端部（後端部）にアングル形状の被支持部７０が設けられている。
この被支持部７０には貫通の雌ねじ孔７２が形成されていて、そこにアジャストボルト７４が下向きに螺合されており、そのアジャストボルト７４が、支持ブラケット６６の支持面７６に下向きに当接し、その支持面７６によって支持されている。
即ちカバー２２が、被支持部７０において支持ブラケット６６により支持されている。
尚、アジャストボルト７４は上下に高さ調節した後において、ロックナット７８によりロックされるようになっている。
【００３０】
図６において８０はクランプ機構であって、コ字形状の挟持部材８２と締付ボルト８４とを有している。
図５（Ｂ）はこのクランプ機構８０によって被支持部７０と支持ブラケット６６とを、アジャストボルト７４を介してクランプした状態を示したもので、このクランプ機構８０にあっては、締付ボルト８４を下向きにねじ込んで行くと、その締付ボルト８４を介してコ字形状の挟持部材８２が、被支持部７０と支持ブラケット６６とを上下に挟み付け、被支持部７０を支持ブラケット６６に対して固定状態にクランプする。
即ちカバー２２を支持ブラケット６６にクランプする。
【００３１】
本例では、上記支持ブラケット６６，被支持部７０，クランプ機構８０がカバー２２を壁Ｗに取付固定する固定装置を構成している。
尚、支持ブラケット６６における支持面７６は前後方向に所定の幅を有しており、固定装置は、カバー２２の壁Ｗに対する固定位置を前後方向及び左右方向、更には上下方向に調節する機能を有している。
【００３２】
図７はその固定装置におけるカバー２２の取付固定の手順を示したもので、先ず図７（Ｉ）に示しているように、被支持部７０に螺合したアジャストボルト７４を支持ブラケット６６の支持面７６上に載せ、そして図７（II）及び（III）に示しているようにアジャストボルト７４によって高さを調節した上で、更には前後方向及び左右方向に位置調節した上で、クランプ機構８０によって被支持部７０と支持ブラケット６６とをその調節位置にクランプし固定する。
【００３３】
以上のような本例の水栓２０にあっては、配管の端部接続口４８に対し水栓２０全体を左右に位置をずらせた状態で設置することができ、それら配管の取付位置を変更することなく、即ち配管工事をやり直すことなく、水栓２０を適正な位置に取付施工することができる。
【００３４】
また本例の水栓２０によれば、カウンター下にホースを垂れ下がりに状態に設ける形態の従来のホース収納水栓の有する様々な問題を解消することができるとともに、水栓２０をただ単に壁Ｗに取付固定するだけで良く、カウンター１４の上側、即ち表側で施工完了することができる。
また本例では物置台６２を吐水管２６の基端位置よりも高位置に設けて、その物置台６２の内部空間６４を配管の端部接続口４８及び可撓性の接続管５２の収納用空間として活用していることから、位置固定の配管に対して水栓２０の上下方向の取付位置の選択の自由度を高めることができる。
【００３５】
本例の水栓２０は固定装置にカバー２２の前後及び左右方向、更には上下方向の位置調節機能を持たせてあるので、水栓２０を適正な位置に簡単に取付施工することができる。
【００３６】
図８及び図９は本発明の更に他の実施例を示している。
これらの図に示しているように、本例は主カバー２２Ａとこれと別体をなす補助カバー２２Ｂとを左右に連結して全体のカバー２２を構成するようになした例である。
ここで補助カバー２２Ｂには縦の収納部８６と横の収納部８８とが設けてあり、それら収納部８６，８８において一対の端部接続口４８及びこれに接続された可撓性の接続管５２の一部を内部に収納するようになっている。
【００３７】
尚この例おいても補助カバー２２Ｂの上面に物置台６２が形成してある。
上記横向きの収納部８８はこの物置台６２の内部空間によって形成されている。
本例に従えば、主カバー２２Ａだけでは水栓の取付位置を左右方向に変更することができない場合であっても、補助カバー２２Ｂを用いることで、水栓２０の取付位置を左右に大きく変更することが可能となる。
【００３８】
以上本発明の実施例を詳述したがこれはあくまで一例示であり本発明は浴室用の水栓その他に適用することが可能であるなど、その主旨を逸脱しない範囲において種々変更を加えた形態で構成可能である。
【図面の簡単な説明】
【図１】  本発明の一実施例であるホース収納カバー水栓を設置状態で示す斜視図である。
【図２】  同じ実施例のホース収納カバー水栓を設置状態で示す側面図である。
【図３】  同じ実施例のホース収納カバー水栓を単独で示す図である。
【図４】  同じ実施例のホース収納カバー水栓を設置前の状態で示す図である。
【図５】  同じ実施例のホース収納カバー水栓の壁への固定構造を示す図である。
【図６】  図５の固定装置を示す図である。
【図７】  図６の固定装置による固定手順を示す図である。
【図８】  本発明の他の実施例のホース収納カバー水栓を示す正面図及び側面図である。
【図９】  同じ実施例のホース収納カバー水栓の斜視図である。
【図１０】  従来の流し台用水栓を設置状態で示す図である。
【符号の説明】
１４  カウンター
１８  バックガード
２０  ホース収納カバー水栓
２２  カバー
２２Ａ  主カバー
２２Ｂ  補助カバー
２４  呑込凹部
２６  吐水管
２８  水栓本体
３０  浄水器
３８  本体管
４２  吐水ヘッド
４４  ホース
４８  端部接続口
５２，５８  接続管
６０  ホース収納部
６２  物置台
６４  内部空間
６６  支持ブラケット
７０  被支持部
８０  クランプ機構
８２  挟持部材
８４  締付ボルト
Ｗ  壁
【図１】
0004382271.tif 000002
【図２】
0004382271.tif 000003
【図３】
0004382271.tif 000004
【図４】
0004382271.tif 000005
【図５】
0004382271.tif 000006
【図６】
0004382271.tif 000007
【図７】
0004382271.tif 000008
【図８】
0004382271.tif 000009
【図９】
0004382271.tif 000010
【図１０】
0004382271.tif 000011